(57)【要約】      （修正有）【課題】横梁を支柱に連結固定するボルト用のボルト孔を形成するためのタップ作業などが不要でありながら、支柱を貫通するように横梁が架設された意匠性に富む柵を提供する。【解決手段】所定の間隔をあけて立設した複数の支柱間に横梁を架設する。支柱は、平面視略楕円形状に形成され、縦長の横梁挿通用間隙部が高さ方向に形成されるとともに、この横梁挿通用間隙部を挟んで対向する左右の支柱構成材にボルト挿通孔が形成されている。横梁は、支柱の横梁挿通用間隙部に挿通可能であり、この横梁挿通用間隙部内に挿通され、支柱の側方から挿通された固定ボルトが貫通した状態で支柱と連結固定される筒状体である。しかも、横梁と支柱構成材との間に介設されるように、支柱構成材に形成されたボルト挿通孔に嵌装されるとともに、固定ボルトを挿通可能に形成されたカラーを備える。【選択図】図４
0003155070.tif 000002
【実用新案登録請求の範囲】
【請求項１】
所定の間隔をあけて立設した複数の支柱間に横梁を架設した柵であって、
前記支柱は、平面視略楕円形状に形成され、縦長の横梁挿通用間隙部が高さ方向に形成されるとともに、この横梁挿通用間隙部を挟んで対向する左右の支柱構成材にボルト挿通孔が形成されており、
前記横梁は、前記支柱の横梁挿通用間隙部に挿通可能であり、この横梁挿通用間隙部内に挿通され、前記支柱の側方から挿通された固定ボルトが貫通した状態で前記支柱と連結固定される筒状体であり、
しかも、前記横梁と前記支柱構成材との間に介設されるように、前記支柱構成材に形成されたボルト挿通孔に嵌装されるとともに、前記固定ボルトを挿通可能に形成されたカラーを備えたことを特徴とする柵。
【請求項２】
前記カラーは、
前記ボルト挿通孔に嵌装される筒状軸部と、前記横梁と当接可能に環状に形成され、前記筒状軸部の一端に連接された頭部とを備え、
前記筒状軸部は、
分割形成された複数の筒体構成片により形成されており、前記固定ボルトが挿通された時にネジ山が形成されながら、前記筒体構成片が外方へ押し広げられて前記ボルト挿通孔内に圧接されることを特徴とする請求項１に記載の柵。
【請求項３】
前記カラーの頭部に、当該頭部を厚さ方向に所定幅で切離するための切り込み部が設けられていることを特徴とする請求項２に記載の柵。
【請求項４】
前記横梁は、２本の横梁同士を連結する管状の継手を含み、前記固定ボルトは前記継手を貫通していることを特徴とする請求項１〜３のいずれか１項に記載の柵。
【考案の詳細な説明】
【技術分野】
【０００１】
本考案は、道路や橋梁などに設置される柵に関するものである。
【背景技術】
【０００２】
従来、高欄や防護柵などを含むこの種の柵は、一般に、路肩に所定の間隔をあけて立設した複数の支柱間に横梁を架設した構成となっている。そして、かかる柵は、その意匠性も重要となるため、例えば支柱について見ても、様々なデザインが直接支柱面に施されたり、あるいは意匠板などを取付けたりしたものがあった（例えば、特許文献１を参照。）。
【先行技術文献】
【特許文献】
【０００３】
【特許文献１】特開平１０−１４７９１５号公報
【考案の開示】
【考案が解決しようとする課題】
【０００４】
このように、柵においては意匠性も重要な要素となるため、横梁を支柱の外側に取り付けるだけではなく、支柱を貫通するような取付構造も提案されている。そのような中で、より斬新なイメージを創出するために、支柱の高さ方向にスリット状の間隙を形成し、この間隙中に横梁を通した構造が考えられた。
【０００５】
その場合、横梁を間隙内で支柱に固定する必要があるため、通常であればボルトなどで連結固定することが考えられる。しかし、例えば支柱をアルミニウムによる押出成形により製造している場合、支柱形成後に、ボルト孔をあけるだけでなく、タップなどで雌ネジを切る作業が必要となってしまう。
【０００６】
本考案は、上記課題を解決して、ボルト用のボルト孔を形成するためのタップ作業などが不要でありながら、ボルトを用いて、横梁を、支柱を貫通するように当該支柱に連結固定した意匠性に富む柵を提供することを目的とする。
【課題を解決するための手段】
【０００７】
（１）本考案では、所定の間隔をあけて立設した複数の支柱間に横梁を架設した柵であって、前記支柱は、平面視略楕円形状に形成され、縦長の横梁挿通用間隙部が高さ方向に形成されるとともに、この横梁挿通用間隙部を挟んで対向する左右の支柱構成材にボルト挿通孔が形成されており、前記横梁は、前記支柱の横梁挿通用間隙部に挿通可能であり、この横梁挿通用間隙部内に挿通され、前記支柱の側方から挿通された固定ボルトが貫通した状態で前記支柱と連結固定される筒状体であり、しかも、前記横梁と前記支柱構成材との間に介設されるように、前記支柱構成材に形成されたボルト挿通孔に嵌装されるとともに、前記固定ボルトを挿通可能に形成されたカラーを備えた柵とした。
【０００８】
（２）また、上記（１）に記載の柵において、前記カラーは、前記ボルト挿通孔に嵌装される筒状軸部と、前記横梁と当接可能に環状に形成され、前記筒状軸部の一端に連接された頭部とを備え、前記筒状軸部は、分割形成された複数の筒体構成片により形成されており、前記固定ボルトが挿通された時にネジ山が形成されながら、前記筒体構成片が外方へ押し広げられて前記ボルト挿通孔内に圧接されることを特徴とする。
【０００９】
（３）また、上記（２）に記載の柵において、前記カラーの頭部に、当該頭部を厚さ方向に所定幅で切離するための切り込み部が設けられていることを特徴とする。
【００１０】
（４）また、上記（１）〜（３）のいずれかに記載の柵において、前記横梁は、２本の横梁同士を連結する管状の継手を含み、前記固定ボルトは前記継手を貫通していることを特徴とする。
【考案の効果】
【００１１】
本考案によれば、横梁を支柱に連結固定するボルトのためにネジを切るタップ作業などが不要となり、支柱を貫通するように横梁が架設された意匠性に富む柵を安価に提供することができる。
【図面の簡単な説明】
【００１２】
【図１】実施形態に係る柵の全体を示す説明図である。
【図２】同柵における支柱と横梁との連結構造を示す説明図である。
【図３】同連結構造を示す分解斜視図である。
【図４】同連結構造を示す断面図である。
【図５】同連結構造の他の実施例を示す断面図である。
【図６】カラーの説明図である。
【図７】他の実施形態に係る柵の連結構造を示す断面図である。
【考案を実施するための形態】
【００１３】
以下、本考案に係る柵の一実施形態を図面に基づき説明する。
【００１４】
図１に示すように、本実施形態に係る柵は、所定の間隔をあけて複数の支柱１を立設し、隣り合う支柱１，１間に、丸パイプ状の横梁２を架設して構成している。本実施形態では、横梁２を３段に架設しているが、この横梁２の数、すなわち段数は３段に限るものではなく、適宜設定することができる。
【００１５】
図２に示すように、支柱１は、平面視略楕円形状に形成されており、広幅面１０には、縦長であって、その上下端が弧状に湾曲形成された縦細長円状の横梁挿通用間隙部１１が高さ方向に所定長さで形成されており、極めて意匠性に富む外観を呈している。
【００１６】
そして、この横梁挿通用間隙部１１を挟んで対向する左右の支柱構成材１０ａ，１０ａには、横梁２の段数分のボルト挿通孔１２がそれぞれ形成されている（図３参照）。また、かかる左右の支柱構成材１０ａ，１０ａの内側面、すなわち横梁挿通用間隙部１１を形成する面には、意匠性をも考慮してテーパを形成している。
【００１７】
また、支柱１は、下端から所定長さにかけて、地中に埋設される埋設部１３が形成されており（図１参照）、この埋設部１３の広幅面１０にも縦長の間隙部１４が形成されている。この間隙部１４は、地中において土砂などを食い込ませて抜け止め作用を奏するとともに、支柱１の軽量化を図るために有用である。なお、横梁挿通用間隙部１１が長円形状であるのに対し、埋設部１３の間隙部１４は細長矩形形状としている。
【００１８】
横梁２は、支柱１の横梁挿通用間隙部１１に挿通可能な丸パイプ状に形成されており、横梁挿通用間隙部１１内に挿通され、支柱１の側方から挿通された固定ボルト４が貫通した状態で左右の支柱構成材１０ａ，１０ａ、すなわち支柱１に連結固定されている。なお、固定ボルト４は、支柱１の全幅よりも短く形成されており、支柱１に横梁２を連結固定したときに、ボルト挿通孔１２から突出することがないようにしている。
【００１９】
そして、本実施形態に係る柵の特徴的な構成は、上述した横梁２と支柱構成材１０ａとの間にカラー３を介設した点にある。
【００２０】
かかるカラー３は、合成樹脂材により形成されており、支柱構成材１０ａに形成されたボルト挿通孔１２に嵌装可能とするとともに、横梁２を支柱１に連結固定する固定ボルト４を挿通可能に構成されている。
【００２１】
すなわち、図３及び図４に示すように、カラー３は、ボルト挿通孔１２に嵌装される筒状軸部３１と、横梁２と当接可能に環状に形成されて筒状軸部３１の一端に連接された頭部３２とを備えて構成される。
【００２２】
そして、筒状軸部３１には、その周面に軸方向に延在する複数のスリット３３が形成されており、このスリット３３を介して複数の筒体構成片３４が分割形成されている。したがって、このカラー３に固定ボルト４が挿通されたときには、固定ボルト４の雄ネジ部分が複数の筒体構成片３４に食い込みながら、各筒体構成片３４をそれぞれ外方へ押し広げてボルト挿通孔１２の内周面に強く押しつける。したがって、カラー３自体がボルト挿通孔１２内に強く圧接され、固定ボルト４をしっかりと止め、同時に横梁２を支柱１に連結固定することができる。
【００２３】
このように、合成樹脂材からなるカラー３を用いることにより、ボルト挿通孔１２に、固定ボルト４を螺合するための雌ネジを切る必要もなくなり、所謂タップ作業などが不要となるため、支柱１の構成が簡素化されるとともに、製造工程も短縮されるため、コストダウンを図ることができる。
【００２４】
なお、カラー３の寸法としては、本実施形態では、全長を２４ｍｍ、筒状軸部３１の長さを２０ｍｍ、その軸径を１０ｍｍ、頭部３２の厚みを４ｍｍ、その直径を１５ｍｍとしている。
【００２５】
ここで、図３及び図４を参照しながら、支柱１と横梁２との連結構造について、より詳細に説明する。
【００２６】
図３において、符号５で示すものは管状の継手であり、本実施形態における横梁２は、２本の横梁２，２同士を連結する当該継手５をも含む概念としている。すなわち、横梁２を支柱１と連結するという場合、横梁２を直接支柱１に連結する場合も、継手５を介して間接的に支柱１に連結する場合も含む。
【００２７】
図３に示すように、本実施形態では、横梁２，２を、継手５を介して支柱１に連結するようにしている。したがって、所定長さに規定される横梁２，２同士の繋ぎ目が、柵の外観上に現れないため美観が向上する。
【００２８】
継手５を用いるために、本実施形態では、横梁２の端部側及び継手５の全体にかけて、それぞれ複数の連結孔６を設けている。そして、継手５の両端に、各横梁２の先端を挿通して連結孔６，６同士をビス７で連結し、継手５の中央部分を固定ボルト４で連結している。
【００２９】
つまり、固定ボルト４は、まず一方の支柱構成材１０ａに形成されたボルト挿通孔１２から挿通され、継手５の中央の連結孔６を貫通する。他方の支柱構成材１０ａに形成されたボルト挿通孔１２には、カラー３が嵌装されており、継手５を貫通した固定ボルト４の先端はカラー３の頭部３２から挿通されて筒状軸部３１に達し、複数の筒体構成片３４に食い込みながらネジ山を形成しさらにこれを押し広げていく（図４参照）。こうして、固定ボルト４が左右のボルト挿通孔１２，１２の間に介装された状態で、横梁２，２は、支柱１にしっかりと連結固定される。
【００３０】
なお、継手５と横梁２との連結にビス７を使用したが、必ずしも左右の横梁２，２それぞれにビス７を用いずに一方のみに用いてもよいし、ビス７を用いなくてもよい場合もある。
【００３１】
図５は連結構造の他の実施例を示す断面図である。上述してきた例では、固定ボルト４からみて下手側のボルト挿通孔１２のみにカラー３を嵌装したが、図示するように、上手側のボルト挿通孔１２に他のカラー８を装着することができ、柵としての意匠面からすれば、本例のように２つのカラー３，８を用いることが好ましい。
【００３２】
他のカラー８の軸部８１は、固定ボルト４を抵抗なく挿通できるだけの内径を有するものとしておくことが好ましい。また、頭部８２の厚みを適宜決定することで、図示するように、カラー３，８によって継手５をその両側からしっかりと支持できるため可及的にガタを少なくすることができる。しかも、２つのカラー３，８を用いることで、横梁２を、支柱１の横梁挿通用間隙部１１の中央を通すことができ、柵全体の見栄えを一段と向上させることができる。
【００３３】
ところで、図６に示すように、本実施形態に係るカラー３は、施工現場などにおいても、頭部３２の厚みを簡単に変更することができる。
【００３４】
すなわち、図示するように、カラー３の頭部３２には、当該頭部３２を厚さ方向に所定幅で切離するための切り込み部３５が設けられている。本実施形態では、切り込み部３５を境にして、頭部３２を１ｍｍの厚みだけ残して３ｍｍの厚さで切り離し部３６が形成されるようにしている。なお、図６ではカラー３のみを示しているが、他のカラー８についても同様にして頭部８２の厚みを変更することが可能である。なお、図６中、符号９で示したものはカッターである。一般的なカッター９により、切り込み部３５から簡単に切り離し部３６を切離することができる。
【００３５】
また、図６に示したカラー３では、スリット３３を水平方向に２つ設け、２つの筒体構成片３４，３４が形成されるようにしているが、図３〜図５に示すように、スリット３３を略十字状に４つ設けて４つの筒体構成片３４，３４，３４，３４が形成されるようにするなど、筒体構成片３４の数については適宜設定して構わない。
【００３６】
このように、カラー３（８）の頭部３２（８２）の厚みを変更可能としているため、例えば、継手５を用いることなく、横梁２を直接支柱１に取り付けることもできる。
【００３７】
すなわち、図７に示すように、継手５よりも大径の横梁２を横梁挿通用間隙部１１に挿通すると、当該横梁２の外周面と左右の支柱構成材１０ａの内面との隙間はわずかしかない。そこで、カラー３，８の頭部３２，８２から切り離し部３６を切離してその厚みを薄くすることにより、カラー３，８を利用することが可能となる。
【００３８】
なお、この場合は他のカラー８を使用している例としたが、他のカラー８は必ずしも用いなくても構わない。
【００３９】
また、２つのカラーを用いる場合、他のカラー８に代えてカラー３を使用することもできる。この場合、固定ボルト４の先端は、先ず上手側のカラー３の筒状軸部３１の先端から挿通されて行き、複数の筒体構成片３４に食い込みながらこれを押し広げつつ進行して行き、継手５や横梁２を貫通して下手側のカラー３の頭部３２から筒状軸部３１内に進入し、横梁２を支柱１に連結固定することになる。
【００４０】
上述してきた実施形態により、以下の効果が期待できる。
【００４１】
所定の間隔をあけて立設した複数の支柱１，１間に横梁２を架設した柵であって、支柱１は、平面視略楕円形状に形成され、縦長の横梁挿通用間隙部１１が高さ方向に形成されるとともに、この横梁挿通用間隙部１１を挟んで対向する左右の支柱構成材１０ａ，１０ａにボルト挿通孔１２が形成されており、横梁２は、支柱１の横梁挿通用間隙部１１に挿通可能であり、この横梁挿通用間隙部１１内に挿通され、支柱１の側方から挿通された固定ボルト４が貫通した状態で支柱１と連結固定される筒状体であり、しかも、横梁２と支柱構成材１０ａとの間に介設されるように、支柱構成材１０ａに形成されたボルト挿通孔１２に嵌装されるとともに、固定ボルト４を挿通可能に形成されたカラー３を備えた柵としているので、横梁２を支柱１に連結固定するボルトのためにネジを切るタップ作業などが不要となり、支柱１を貫通するように横梁２を架設した意匠性に富む柵を安価に提供することができる。
【００４２】
また、前記カラー３は、ボルト挿通孔１２に嵌装される筒状軸部３１と、横梁２と当接可能に環状に形成され、筒状軸部３１の一端に連接された頭部３２とを備え、筒状軸部３１は、分割形成された複数の筒体構成片３４により形成されており、固定ボルト４が挿通された時に、筒体構成片３４の内周壁面にネジ山が形成され、さらに筒体構成片３４が外方へ押し広げられてボルト挿通孔１２内に圧接されるようにしたため、簡単な構成でありながら確実に固定ボルト４を止めることができるとともに、横梁２を支柱１に連結固定することができる。
【００４３】
また、前記カラー３（８）の頭部３２（８２）に、当該頭部３２（８２）を厚さ方向に所定幅で切離するための切り込み部３５が設けられているため、柵の施工現場などで、簡単に横梁挿通用間隙部１１内における寸法調整などが行える。
【００４４】
また、前記横梁２は、２本の横梁２，２同士を連結する管状の継手５を含み、固定ボルト４は継手５を貫通していることとしたため、所定長さに規定された横梁２の繋ぎ目部分を支柱１の横梁挿通用間隙部１１内に位置させることで、繋ぎ目が見えなくなり、美観を向上させることができる。
【００４５】
なお、本発明は、上述してきた実施形態の構成に全て限定されるものではなく、カラー３を含めた各部材の寸法などは適宜設計可能である。
【符号の説明】
【００４６】
１    支柱
２    横梁
３    カラー
４    固定ボルト
５    継手
８    他のカラー
１０ａ    支柱構成材
１１    横梁挿通用間隙部
１２    ボルト挿通孔
３１    筒状軸部
３２    頭部
【図１】
0003155070.tif 000003
【図２】
0003155070.tif 000004
【図３】
0003155070.tif 000005
【図４】
0003155070.tif 000006
【図５】
0003155070.tif 000007
【図６】
0003155070.tif 000008
【図７】
0003155070.tif 000009